(57)【要約】【課題】無線メッシュネットワークにおけるピアリンク設定方法とこれをサポートする無線機器の提供。【解決手段】前記方法では、メッシュポイント（Ｍｅｓｈ  Ｐｏｉｎｔ；ＭＰ）は、候補（ｃａｎｄｉｄａｔｅ）ピアＭＰにピアリンクに関する第１のピアリンクオープンフレームを送信する。前記第１のピアリンクオープンフレームは、高処理率（Ｈｉｇｈ  Ｔｈｒｏｕｇｈｐｕｔ；ＨＴ）能力値（ｃａｐａｂｉｌｉｔｉｅｓ）情報エレメント及びＨＴ動作情報エレメントを含む。ＭＰは、前記第１のピアリンクオープンフレームに対応して前記候補ピアＭＰからピアリンクに関する第１のピアリンク確認フレームを受信する。前記ＭＰは、第２のピアリンクオープンフレームを候補ピアＭＰから受信後、候補ピアＭＰにピアリンクに関する第２のピアリンク確認フレームを送信する。このピアリンク確認フレームは、ＨＴ能力値情報エレメント及びＨＴ動作情報エレメントを含みうる。【選択図】図３
2011501607.tif 000002
【特許請求の範囲】
【請求項１】
無線メッシュネットワーク（ｗｉｒｅｌｅｓｓ  ｍｅｓｈ  ｎｅｔｗｏｒｋ）におけるピアリンク（ｐｅｅｒ  ｌｉｎｋ）を設定する方法において、
前記ピアリンクに関連付けられている第１のピアリンクオープンフレーム（ｐｅｅｒ  ｌｉｎｋ  ｏｐｅｎ  ｆｒａｍｅ）を候補（ｃａｎｄｉｄａｔｅ）ピアＭＰ（Ｍｅｓｈ  Ｐｏｉｎｔ）に送信し、前記第１のピアリンクオープンフレームは、ＨＴ（Ｈｉｇｈ  Ｔｈｒｏｕｇｈｐｕｔ）能力値（ｃａｐａｂｉｌｉｔｉｅｓ）情報エレメント（ｉｎｆｏｒｍａｔｉｏｎ  ｅｌｅｍｅｎｔ）を含み；
前記第１のピアリンクオープンフレームに対する応答として前記ピアリンクに関連付けられている第１のピアリンク確認フレーム（ｐｅｅｒ  ｌｉｎｋ  ｃｏｎｆｉｒｍａｔｉｏｎ  ｆｒａｍｅ）を前記候補ピアＭＰから受信して；及び
前記候補ピアＭＰから受信した第２のピアリンクオープンフレームに対する応答として前記ピアリンクに関連付けられている第２のピアリンク確認フレームを前記候補ピアＭＰに送信することを含み、前記ピアリンク確認フレームは、前記ＨＴ能力値情報エレメントを含む方法。
【請求項２】
前記第１のピアリンクオープンフレーム及び前記第２のピアリンク確認フレームは、ＨＴ動作情報エレメント（ｏｐｅｒａｔｉｏｎ  ｉｎｆｏｒｍａｔｉｏｎ  ｅｌｅｍｅｎｔ）をさらに含む請求項１に記載の方法。
【請求項３】
前記第１のピアリンクオープンフレーム及び前記第２のピアリンク確認フレームは、拡張能力値（ｅｘｔｅｎｄｅｄ  ｃａｐａｂｉｌｉｔｉｅｓ）情報エレメント及び２０／４０ＢＳＳ（Ｂａｓｉｃ  Ｓｅｒｖｉｃｅ  Ｓｅｔ）共存（ｃｏｅｘｉｓｔｅｎｃｅ）情報エレメントをさらに含む請求項２に記載の方法。
【請求項４】
前記２０／４０共存情報エレメントが前記第１のピアリンクオープンフレームまたは前記第２のピアリンク確認フレームに含まれている場合、前記拡張能力値情報エレメントは、前記第１のピアリンクオープンフレームまたは前記第２のピアリンク確認フレームに含まれる請求項２に記載の方法。
【請求項５】
前記第２のピアリンクオープンフレーム及び前記第１のピアリンク確認フレームは、前記ＨＴ能力値情報エレメント及びＨＴ動作（ｏｐｅｒａｔｉｏｎ）情報エレメントを含む請求項１に記載の方法。
【請求項６】
前記第２のピアリンクオープンフレーム及び前記第１のピアリンク確認フレームは、拡張能力値情報エレメント及び２０／４０ＢＳＳ共存情報エレメントをさらに含む請求項５に記載の方法。
【請求項７】
前記第１のピアリンクオープンフレームを送信する以前に、前記候補ピアＭＰをディスカバ（ｄｉｓｃｏｖｅｒ）するための受動スキャニングまたは能動スキャニングを実行することをさらに含むことを特徴とする請求項１に記載の方法。
【請求項８】
無線メッシュネットワークにおける第１のＭＰと第２のＭＰとの間ピアリンクを設定する方法において、
前記第１のＭＰは、第１のピアリンクオープンフレームを前記第２のＭＰに送り、前記第２のＭＰは、第２のピアリンクオープンフレームを前記第１のＭＰに送り、前記第１のピアリンクオープンフレーム及び前記第２のピアリンクオープンフレームは、ＨＴ能力値情報エレメント及びＨＴ動作情報エレメントを含み；及び、
前記第１のＭＰは、受信した前記第２のピアリンクオープンフレームに対する応答として第２のピアリンク確認フレームを第２のＭＰに送り、前記第２のＭＰは、受信した前記第１のピアリンクオープンフレームに対する応答として第１のピアリンク確認フレームを前記第１のＭＰに送ることを含み、
前記第１のピアリンク確認フレーム及び前記第２のピアリンク確認フレームは、前記ＨＴ能力値情報エレメント及び前記ＨＴ動作情報エレメントを含む方法。
【請求項９】
前記第１のピアリンクオープンフレーム及び前記第２のピアリンク確認フレームは、拡張能力値情報エレメント及び２０／４０ＢＳＳ共存情報エレメントをさらに含む請求項８に記載の方法。
【請求項１０】
前記２０／４０ＢＳＳ共存情報エレメントが前記第１のピアリンクオープンフレームまたは前記第２のピアリンク確認フレームに含まれている場合、前記拡張能力値情報エレメントは、前記第１のピアリンクオープンフレームまたは前記第２のピアリンク確認フレームに含まれる請求項９に記載の方法。
【請求項１１】
前記第２のピアリンクオープンフレーム及び前記第１のピアリンク確認フレームは、拡張能力値情報エレメント及び２０／４０ＢＳＳ共存情報エレメントをさらに含む請求項８に記載の方法。
【請求項１２】
前記第１のピアリンクオープンフレームを送信する以前に、前記第１のＭＰが前記第２のＭＰをディスカバするための受動スキャニングまたは能動スキャニングを実行して、及び
前記第２のピアリンクオープンフレームを送信する以前に、前記第２のＭＰが前記第１のＭＰをディスカバするための受動スキャニングまたは能動スキャニングを実行することをさらに含む請求項８に記載の方法。
【請求項１３】
無線メッシュネットワークにおけるピアリンクを設定する方法をサポートする無線機器において、
フレームを生成して（ｇｅｎｅｒａｔｅ）処理する（ｐｒｏｃｅｓｓ）プロセッサ（ｐｒｏｃｅｓｓｏｒ）；及び
前記プロセッサと連結されて、前記プロセッサから前記フレームを送受信する送受信機（ｔｒａｎｓｃｅｉｖｅｒ）；を含み、
前記無線機器は、
前記ピアリンクに関連付けられている第１のピアリンクオープンフレームを候補ピアＭＰに送信し、前記第１のピアリンクオープンフレームは、ＨＴ能力値情報エレメントを含み；
前記第１のピアリンクオープンフレームに対する応答として前記ピアリンクに関連付けられている第１のピアリンク確認フレームを前記候補ピアＭＰから受信して；及び、
前記候補ピアＭＰから受信した第２のピアリンクオープンフレームに対する応答として前記ピアリンクに関連付けられている第２のピアリンク確認フレームを前記候補ピアＭＰに送信することを含み、前記第２のピアリンク確認フレームは、ＨＴ能力値情報エレメントを含む無線機器。
【発明の詳細な説明】
【技術分野】
【０００１】
本発明は、無線ローカル接続ネットワーク（Ｗｉｒｅｌｅｓｓ  Ｌｏｃａｌ  Ａｃｃｅｓｓ  Ｎｅｔｗｏｒｋ；ＷＬＡＮ）に関し、より詳しくは、無線メッシュネットワークにおけるピアリンク設定方法及びこれをサポートする無線ステーションに関する。
【背景技術】
【０００２】
最近、情報通信技術の発展とともに多様な無線通信技術が開発されている。このうち、ＷＬＡＮは、無線周波数技術に基づいて個人携帯用情報端末機（Ｐｅｒｓｏｎａｌ  Ｄｉｇｉｔａｌ  Ａｓｓｉｓｔａｎｔ、ＰＤＡ）、ラップトップコンピュータ、携帯型マルチメディアプレーヤ（Ｐｏｒｔａｂｌｅ  Ｍｕｌｔｉｍｅｄｉａ  Ｐｌａｙｅｒ、ＰＭＰ）などのような携帯型端末機を用いて家庭、企業または特定サービス提供地域で無線で超高速インターネットに接続できるようにする技術である。
【０００３】
１９８０年２月に設立された標準化団体であるＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２委員会は、多くの標準化業務を実行してきた。初期のＷＬＡＮ技術分野ではＩＥＥＥ８０２．１１に従って、２．４ＧＨｚ周波数を使用する周波数ホッピング（ｆｒｅｑｕｅｎｃｙ  ｈｏｐｐｉｎｇ）、拡散スペクトラム（ｓｐｒｅａｄ  ｓｐｅｃｔｒｕｍ）及び赤外線通信などを用いて１ないし２Ｍｂｐｓのデータレートがサポートされた。最近、ＷＬＡＮでは直交周波数分割多重（Ｏｒｔｈｏｇｏｎａｌ  Ｆｒｅｑｕｅｎｃｙ  ｄｉｖｉｓｉｏｎ  Ｍｕｌｔｉｐｌｅｘ；ＯＦＤＭ）方式を使用して最大５４Ｍｂｐｓのデータレートがサポートされる。さらに、ＩＥＥＥ８０２．１１は、サービス品質（Ｑｕａｌｉｔｙ  ｏｆ  Ｓｅｒｖｉｃｅ；ＱｏＳ）、アクセスポイント（Ａｃｃｅｓｓ  Ｐｏｉｎｔ；ＡＰ）プロトコル（ｐｒｏｔｏｃｏｌ）能力値、セキュリティ強化（ｓｅｃｕｒｉｔｙ  ｅｎｈａｎｃｅｍｅｎｔ）、無線リソース測定（ｗｉｒｅｌｅｓｓ  ｒｅｓｏｕｒｃｅ  ｍｅａｓｕｒｅｍｅｎｔ）、車両環境（ｖｅｈｉｃｕｌａｒ  ｅｎｖｉｒｏｎｍｅｎｔ）における無線接続、速いローミング（ｒｏａｍｉｎｇ）、無線メッシュネットワーク（ｗｉｒｅｌｅｓｓ  ｍｅｓｈ  ｎｅｔｗｏｒｋ）、外部ネットワークとの相互作用（ｉｎｔｅｒ−ｗｏｒｋｉｎｇ）、無線ネットワークなどのような分野における発展のために多様な技術的な標準を開発し、開発中である。
【０００４】
メッシュネットワークは、中継機能を有する複数の無線機器がＡＰを経由せずに直接通信することをサポートするネットワークである。機能的にみると、ＡＰの配信システム（Ｄｉｓｔｒｉｂｕｔｉｏｎ  Ｓｙｓｔｅｍ、ＤＳ）は、相互作用する無線リンク（Ｉｎｔｅｒｏｐｅｒａｂｌｅ  Ｗｉｒｅｌｅｓｓ  Ｌｉｎｋ）または複数のＡＰ間のマルチホップ（Ｍｕｌｔｉ−ｈｏｐ）経路に取り替えることができる。このようなメッシュネットワークによると、いずれか一つの無線機器は、隣接する一つまたはその以上の無線機器と相互作用するピア・ツー・ピア無線リンクを設定することができるため、より柔軟な無線連結が可能であるという長所がある。
【０００５】
メッシュネットワークにおいて、一つの無線機器は、他の無線機器と各々複数のピアリンクを有することができるため、二つの無線機器間に複数の通信経路が存在することができる。このうち、二つの無線機器間の直接通信経路を無線メッシュリンク（Ｗｉｒｅｌｅｓｓ  Ｍｅｓｈ  Ｌｉｎｋ）、メッシュピアリンク（Ｍｅｓｈ  Ｐｅｅｒ  Ｌｉｎｋ）またはピアリンク（Ｐｅｅｒ  Ｌｉｎｋ）と呼ぶ。このような無線機器は、メッシュポイント（Ｍｅｓｈ  Ｐｏｉｎｔ；ＭＰ）で呼ばれるが、ここに限定されることではない。また、ＭＰのうち、前述した中継機能外にもＡＰの機能をともに実行することをメッシュアクセスポイント（Ｍｅｓｈ  Ａｃｃｅｓｓ  Ｐｏｉｎｔ；ＭＡＰ）という。
【０００６】
このようなメッシュネットワークは、ネットワーク構築の柔軟性、迂回経路による信頼性及び通信距離の短縮にともなう電力消費の節減などの利点がある。より具体的に、メッシュネットワークを用いると、既存の通信網のない場所でも柔軟なネットワークを構築することができる。また、メッシュネットワークでは複数のＭＰ間にお互いに連結されて複数のバイパス経路を確保することができ、従って、一つのＭＰが故障しても他の経路を介してデータを送信することができる。また、メッシュネットワークでは隣接するＭＰを経由して通信できるため、低い電力でも遠距離通信が可能になる。
【０００７】
一方、ＩＥＥＥ８０２．１１ｎは、ＷＬＡＮの弱点である通信速度上の制約を克服するために相対的に最近に作られた標準技術である。ＩＥＥＥ８０２．１１ｎは、ネットワークの速度と信頼性を強化して無線ネットワークの運営カバレージ（ｏｐｅｒａｔｉｏｎ  ｃｏｖｅｒａｇｅ）を拡張するためにデザインされた。より詳細に、ＩＥＥＥ８０２．１１ｎは、最大５４Ｍｂｐｓのデータ処理率を有する高速処理率（Ｈｉｇｈ  Ｔｈｒｏｕｇｈｐｕｔ；ＨＴ）をサポートし、送信エラーを最小化し、データレートを最適化するために送信機及び／または受信機に複数のアンテナを採用したＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基づく。以上の標準は、データの信頼度を強化するために複数のコピーを送信するコーディングスキーム（ｓｃｈｅｍｅ）を採用して、速度上昇のためのＯＦＤＭスキームを採用することもできる。
【発明の概要】
【発明が解決しようとする課題】
【０００８】
無線メッシュネットワークにおいてＩＥＥＥ８０２．１１ｎをサポートするＭＰ（以下‘ＨＴ  ＭＰ’という。）がＨＴ  ＰＨＹ／ＭＡＣ特性を使用するために、メッシュピアリンクがＭＰ間に設定されなければならない。ＩＥＥＥ８０２．１１ｎをサポートしないレガシ（ｌｅｇａｃｙ）ＭＰがメッシュピアリンクを設定するようにする手順を使用してメッシュピアリンクがＨＴ  ＭＰ間に設定される場合、１００Ｍｂｐｓ以上のデータレートを必要とする多様なＨＴ  ＰＨＹ／ＭＡＣ特性を用いることができない。
【０００９】
例えば、メッシュネットワークにおいてＨＴ  ＭＰ間でメッシュピアリンクを設定して、設定されたメッシュリンクを介してデータを送信するためには二つのＨＴ  ＭＰ間のメッシュプロファイル（ｐｒｏｆｉｌｅ）がお互いに同一でなければならない。然しながら、現在メッシュピアリンク設定方法によると、ピアリンクを設定しようとするＨＴ  ＭＰが相手側ＨＴ  ＭＰに関する情報を知るための方法が定義されていないが、これはＨＴ  ＰＨＹ／ＭＡＣの特性を使用するために要求される事項である。
【００１０】
従って、本発明が解決しようとする課題は、メッシュピアリンクを設定したＨＴ  ＭＰがＨＴ  ＰＨＹ／ＭＡＣの特性を活用することができるように無線メッシュネットワークにおいてメッシュピアリンクを設定する手順及びこれをサポートする無線機器を提供することである。
【課題を解決するための手段】
【００１１】
本発明の一態様によると、無線メッシュネットワーク（ｗｉｒｅｌｅｓｓ  ｍｅｓｈ  ｎｅｔｗｏｒｋ）におけるピアリンク（ｐｅｅｒ  ｌｉｎｋ）を設定する方法が提供される。前記方法は、前記ピアリンクに関連付けられている第１のピアリンクオープンフレーム（ｐｅｅｒ  ｌｉｎｋ  ｏｐｅｎ  ｆｒａｍｅ）を候補（ｃａｎｄｉｄａｔｅ）ピアＭＰ（Ｍｅｓｈ  Ｐｏｉｎｔ）に送信し、前記第１のピアリンクオープンフレームは、ＨＴ（Ｈｉｇｈ  Ｔｈｒｏｕｇｈｐｕｔ）能力値（ｃａｐａｂｉｌｉｔｉｅｓ）情報エレメント（ｉｎｆｏｒｍａｔｉｏｎ  ｅｌｅｍｅｎｔ）を含み、前記第１のピアリンクオープンフレームに対する応答として前記ピアリンクに関連付けられている第１のピアリンク確認フレーム（ｐｅｅｒ  ｌｉｎｋ  ｃｏｎｆｉｒｍａｔｉｏｎ  ｆｒａｍｅ）を前記候補ピアＭＰから受信して；及び、前記候補ピアＭＰから受信した第２のピアリンクオープンフレームに対する応答として前記ピアリンクに関連付けられている第２のピアリンク確認フレームを前記候補ピアＭＰに送信することを含み、前記ピアリンク確認フレームは、前記ＨＴ能力値情報エレメントを含む。
【００１２】
本発明の他の態様によると、無線メッシュネットワークにおける第１のＭＰと第２のＭＰとの間ピアリンクを設定する方法が提供される。前記第１のＭＰは、第１のピアリンクオープンフレームを前記第２のＭＰに送り、前記第２のＭＰは、第２のピアリンクオープンフレームを前記第１のＭＰに送り、前記第１のピアリンクオープンフレーム及び前記第２のピアリンクオープンフレームは、ＨＴ能力値情報エレメント及びＨＴ動作情報エレメントを含み、及び、前記第１のＭＰは、受信した前記第２のピアリンクオープンフレームに対する応答として第２のピアリンク確認フレームを第２のＭＰに送り、前記第２のＭＰは、受信した前記第１のピアリンクオープンフレームに対する応答として第１のピアリンク確認フレームを前記第１のＭＰに送ることを含み、前記第１のピアリンク確認フレーム及び前記第２のピアリンク確認フレームは、前記ＨＴ能力値情報エレメント及び前記ＨＴ動作情報エレメントを含む。
【００１３】
本発明の他の態様によると、無線メッシュネットワークにおけるピアリンクを設定する方法をサポートする無線機器が提供される。前記無線機器は、フレームを生成して（ｇｅｎｅｒａｔｅ）処理する（ｐｒｏｃｅｓｓ）プロセッサ（ｐｒｏｃｅｓｓｏｒ）；及び、前記プロセッサと連結されて、前記プロセッサから前記フレームを送受信する送受信機（ｔｒａｎｓｃｅｉｖｅｒ）；を含み、前記無線機器は、前記ピアリンクに関連付けられている第１のピアリンクオープンフレームを候補ピアＭＰに送信し、前記第１のピアリンクオープンフレームは、ＨＴ能力値情報エレメントを含み；前記第１のピアリンクオープンフレームに対する応答として前記ピアリンクに関連付けられている第１のピアリンク確認フレームを前記候補ピアＭＰから受信して；及び、前記候補ピアＭＰから受信した第２のピアリンクオープンフレームに対する応答として前記ピアリンクに関連付けられている第２のピアリンク確認フレームを前記候補ピアＭＰに送信することを含み、前記第２のピアリンク確認フレームは、ＨＴ能力値情報エレメントを含む。
【発明の効果】
【００１４】
本発明の実施例によると、ＨＴ  ＭＰは、メッシュピアリンクを介してピアＭＰと通信の際、ＨＴ機能を活用することができる。既存のメッシュリンク設定手順では、メッシュピアリンクを設定した全てのＭＰがＨＴ  ＭＰにも拘わらず、他のＭＰがＨＴ能力値をサポートするかどうかに対する情報を得ることができなかったため、ＨＴ機能を活用することができなかった。然しながら、本発明によると、メッシュピアリンクを設定したＨＴ  ＭＰは、ＨＴ機能を活用することができるため、ＨＴ  ＭＰは、１００Ｍｂｐｓレートの送受信が可能である。
【図面の簡単な説明】
【００１５】
【図１】無線メッシュネットワーク配置形態の一例を示す図である。
【図２】プローブ（ｐｒｏｂｅ）応答フレーム（ｒｅｓｐｏｎｓｅ  ｆｒａｍｅ）に含まれることができるメッシュコンフィギュレーションエレメント（ｃｏｎｆｉｇｕｒａｔｉｏｎ  ｅｌｅｍｅｎｔ）のフォーマットを示すブロック図である。
【図３】本発明の実施例に係るメッシュピアリンク設定手順を示すメッセージ流れ図である。
【図４】本発明の一実施例に係るメッシュピアリンク設定手順に使われるピアリンクオープンフレーム（ｏｐｅｎ  ｆｒａｍｅ）のボディ部（ｂｏｄｙ  ｐｏｒｔｉｏｎ）に含まれる情報エレメント（ｉｎｆｏｒｍａｔｉｏｎ  ｅｌｅｍｅｎｔ）の一例を示すブロック図である。
【図５】本発明の一実施例に係るメッシュピアリンク設定手順に使われるピアリンクオープンフレームのボディ部に含まれる情報エレメントの他の一例を示すブロック図である。
【図６】本発明の一実施例に係るメッシュピアリンク設定手順に使われるピアリンク確認フレーム（ｃｏｎｆｉｒｍａｔｉｏｎ  ｆｒａｍｅ）のボディ部に含まれる情報エレメントの一例を示すブロック図である。
【図７】本発明の一実施例に係るメッシュピアリンク設定手順に使われるピアリンク確認フレームのボディ部に含まれる情報エレメントの他の一例を示すブロック図である。
【発明を実施するための形態】
【００１６】
以下、添付図面を参照して本発明の一実施例に対して説明する。
【００１７】
図１は、無線メッシュネットワーク配置形態の一例を示す図である。前記無線メッシュネットワークは、固有の（ｐｒｅ−ｄｅｔｅｒｍｉｎｅｄ）メッシュ識別子（ｍｅｓｈ  ｉｄｅｎｔｉｆｉｅｒ）を有し、メッシュ識別子は、無線メッシュネットワークを構成するＭＰのグループを識別するためのタイトル（ｔｉｔｌｅ）として使われる。メッシュ識別子の付与方法は、何らの制限がない。
【００１８】
図１を参照すると、無線メッシュネットワークは、一つまたは複数のＳＴＡ（１３１、１３２、１３３、１３４）と一つまたはその以上の無線機器、即ち、ＭＰ（１１０、１２１、１２２、１２３）を含む。前記ＭＰのうち、参照番号１２１及び１２２は自分と結合されているＳＴＡ（１３１、１３２、１３３、１３４）が存在するため、ＡＰの機能を同時に実行するＭＰ、即ち、ＭＡＰとなる。また、参照番号１２１のＭＰは、有線または無線で外部ネットワークと連結されるＭＰであり、これをメッシュポータル（Ｍｅｓｈ  Ｐｏｒｔａｌ）という。
【００１９】
ＳＴＡ（１３１ないし１３４）は、ＩＥＥＥ８０２．１１標準の規定に従う媒体接続制御（Ｍｅｄｉｕｍ  Ａｃｅｓｓ  Ｃｏｎｔｒｏｌ、ＭＡＣ）及び無線媒体に対する物理層（Ｐｈｙｓｉｃａｌ  Ｌａｙｅｒ）インターフェースを含む任意の機能媒体であり、非ＡＰステーション（Ｎｏｎ−ＡＰ  Ｓｔａｔｉｏｎ）である。また、ＳＴＡ（１３１ないし１３４）は、自分の加入したマルチキャスト加入情報を自分の結合しているＭＡＰ（１２１または１２２）に知らせる。このようなＳＴＡは、無線局という名称外に無線送受信ユニット（Ｗｉｒｅｌｅｓｓ  Ｔｒａｎｓｍｉｔ／Ｒｅｃｅｉｖｅ  Ｕｎｉｔ、ＷＴＲＵ）、ユーザ装備（Ｕｓｅｒ  Ｅｑｕｉｐｍｅｎｔ、ＵＥ）、移動局（Ｍｏｂｉｌｅ  Ｓｔａｔｉｏｎ、ＭＳ）、または移動サブスクライバユニット（Ｍｏｂｉｌｅ  Ｓｕｂｓｃｒｉｂｅｒ  Ｕｎｉｔ）などでも呼ばれることができる。
【００２０】
ＭＰ（１１０、１２１、１２２、１２３）は、無線メッシュネットワークを構成するエンティティであり、ＩＥＥＥ８０２．１１標準の規定に従う媒体接続制御及び物理層インターフェースを含むＩＥＥＥ８０２．１１の機能エンティティの一つである。ＭＰ（１１０、１２１、１２２、１２３）は、メッシュサービス（ｍｅｓｈ  ｓｅｒｖｉｃｅｓ）をサポートする無線機器であり、メッシュサービスは、メッシュネットワークを構成するＭＰ間に直接通信を可能にする諸般サービスを含む。メッシュサービスを提供するための二つのＭＰ、例えば、参照番号１２１のＭＰと参照番号１２３のＭＰとの間における通信は、前記二つのＭＰ間に設定されている直接リンクであるメッシュリンクまたはピアリンクを介して行われる。また、本発明の実施例によると、前記ＭＰ（１１０、１２１、１２２、１２３）は、各々１００Ｍｂｐｓ以上のデータ処理率を達成することができるように１つまたはその以上の高速処理率（ＨＴ）ＭＡＣ／ＰＨＹ特性をサポートする。
【００２１】
二つ以上のＭＰがお互いにピアリンクを設定してメッシュネットワークを形成したり、または既に存在するメッシュネットワークに他のＭＰが参加するためには、ピアリンクを設定するＭＰ間にはメッシュプロファイル（Ｍｅｓｈ  Ｐｒｏｆｉｌｅ）が一致しなければならない。ＭＰは、少なくとも一つのメッシュプロファイルをサポートし、メッシュプロファイルは、メッシュ識別子（Ｍｅｓｈ  ＩＤ）、経路選択プロトコル識別子（Ｐａｔｈ  Ｓｅｌｅｃｔｉｏｎ  Ｐｒｏｔｏｃｏｌ  Ｉｄｅｎｔｉｆｉｅｒ）、及び経路選択測定識別子（Ｐａｔｈ  Ｓｅｌｅｃｔｉｏｎ  Ｍｅｔｒｉｃ  Ｉｄｅｎｔｉｆｉｅｒ）を含む。また、メッシュプロファイルは、混雑制御モード識別子（Ｃｏｎｇｅｓｔｉｏｎ  Ｃｏｎｔｒｏｌ  Ｍｏｄｅ  Ｉｄｅｎｔｉｆｉｅｒ）などをさらに含むこともできる。
【００２２】
また、前述したように、ＭＰのうちＡＰとしての機能を共に実行するＭＰを特別にＭＡＰという。従って、ＭＡＰ（１２１、１２２）は、前述したＭＰの機能外にも自分に連結設  定された無線局（Ａｓｓｏｃｉａｔｅｄ  Ｓｔａｔｉｏｎ）のためにＡＰとしての機能も実行する。ＡＰは、アクセスポイントという名称外に集中制御器、基地局（Ｂａｓｅ  Ｓｔａｔｉｏｎ、ＢＳ）、ノードＢ、またはサイト制御器などで呼ばれることもできる。
【００２３】
メッシュネットワークに参加して通信をするためにはＭＰのメッシュプロファイルが一致すべきであるため、ＭＰは、自分だけでなく潜在的な隣のＭＰに関して充分の情報を有しなければならない。ＭＰがメッシュネットワークのメンバになり、また属しているメッシュネットワークにおける連結性（Ｃｏｎｎｅｃｔｉｖｉｔｙ）の変化を感知し、これに反応するための諸般手順は、メッシュネットワークにおいて、メッシュディスカバリ（Ｍｅｓｈ  Ｄｉｓｃｏｖｅｒｙ）手順及びピアリンク管理手順を含む。メッシュディスカバリ手順は、ＭＰが隣のＭＰから送信されるビーコン（Ｂｅａｃｏｎ）フレームを用いる受動スキャニング、または二つのＭＰ間にプローブ要求（Ｐｒｏｂｅ  Ｒｅｑｕｅｓｔ）フレーム及びプローブ応答（Ｐｒｏｂｅ  Ｒｅｓｐｏｎｓｅ）フレームの交換を用いる能動スキャニングなどを介して潜在的な隣のＭＰをディスカバすることであり、潜在的な隣のＭＰのうち、特にメッシュプロファイルが一致する隣のＭＰを探す過程であるということができる。また、メッシュピアリンク管理手順は、ＭＰ間ピアリンクを設定、管理及び解体（ｔｅａｒ  ｄｏｗｎ）するために使われる。
【００２４】
前述したように、メッシュディスカバリ手順の目的は、候補ピアＭＰ及びそれらの特性をディスカバすることであり、ＭＰがメッシュネットワークのメンバになる以前と以後の場合を全て含む。コンフィギュアド（Ｃｏｎｆｉｇｕｒｅｄ）ＭＰは、少なくとも一つのメッシュプロファイルを有し、もし、前記ＭＰが特定メッシュネットワークのメンバである場合、正確に一つのメッシュプロファイルがアクティブされる。
【００２５】
隣のＭＰをディスカバするためのメッシュディスカバリ手順の一つは、ＭＰが受動または能動スキャニングを実行することである。能動スキャニングの場合、第１のＭＰは、メッシュ識別子情報が含まれたプローブ要求フレーム（Ｐｒｏｂｅ  Ｒｅｑｕｅｓｔ  Ｆｒａｍｅ）を送信する。また、前記プローブ要求フレームを受信したＭＰのうち、メッシュ識別子情報が一致する第２のＭＰのみプローブ応答フレーム（Ｐｒｏｂｅ  Ｒｅｓｐｏｎｓｅ  Ｆｒａｍｅ）として応答する。プローブ応答フレームにはメッシュコンフィギュレーションエレメント（Ｍｅｓｈ  Ｃｏｎｆｉｇｕｒａｔｉｏｎ  Ｅｌｅｍｅｎｔ）が含まれることができ、第１のＭＰは、前記メッシュコンフィギュレーションエレメントに含まれている情報を介してプローブ応答フレームを送信した第２のＭＰの各々のプロファイル情報が分かる。
【００２６】
図２は、プローブ（ｐｒｏｂｅ）応答フレーム（ｒｅｓｐｏｎｓｅ  ｆｒａｍｅ）に含まれることができるメッシュコンフィギュレーションエレメント（ｃｏｎｆｉｇｕｒａｔｉｏｎ  ｅｌｅｍｅｎｔ）のフォーマットを示すブロック図である。図２を参照すると、メッシュコンフィギュレーションエレメント（２００）は、ＩＤフィールド（ＩＤ、２１０）、長さフィールド（Ｌｅｎｇｔｈ、２２０）、バージョンフィールド（Ｖｅｒｓｉｏｎ、２３０）、能動経路選択プロトコル識別子フィールド（Ａｃｔｉｖｅ  Ｐａｔｈ  Ｓｅｌｅｃｔｉｏｎ  Ｐｒｏｔｏｃｏｌ  Ｉｄｅｎｔｉｆｉｅｒ、２４０）、能動経路選択測定識別子フィールド（Ａｃｔｉｖｅ  Ｐａｔｈ  Ｓｅｌｅｃｔｉｏｎ  Ｍｅｔｒｉｃ  Ｉｄｅｎｔｉｆｉｅｒ、２５０）、混雑制御モード識別子フィールド（Ｃｏｎｇｅｓｔｉｏｎ  Ｃｏｎｔｒｏｌ  Ｍｏｄｅ  Ｉｄｅｎｔｉｆｉｅｒ、２６０）、チャネル序列フィールド（Ｃｈａｎｎｅｌ  Ｐｒｅｃｅｄｅｎｃｅ、２７０）、及びメッシュ能力値フィールド（Ｍｅｓｈ  Ｃａｐａｂｉｌｉｔｙ、２８０）を含む。
【００２７】
ＩＤフィールド（２１０）は、メッシュコンフィギュレーションエレメントを指示する値に設定される。長さフィールド（２２０）は、該当エレメント（２００）の長さを指示する値に設定されて、バージョンフィールド（２３０）も該当エレメント（２００）のバージョンを指示する値に設定されることができる。また、能動経路選択プロトコル識別子フィールド（２４０）は、ＭＰで現在経路選択情報の生成に使われる経路選択プロトコルを指示する値に設定されて、能動経路選択測定識別子フィールド（２５０）は、メッシュネットワークにおいてアクティブされた経路選択プロトコルによって現在使われる経路測定を指示する値に設定される。また、混雑制御モード識別子フィールド（２６０）は、現在使われている混雑制御プロトコルを指示する値に設定されて、チャネル序列フィールド（２７０）は、ＭＰ  ＰＨＹが属する統合チャネルグラフにおいてチャネル優先順位を指示する値に設定される。
【００２８】
また、メッシュ能力値フィールド（２８０）にはＭＰがピアリンクを設定するための候補になるかどうかを指示するための複数の情報が含まれる。図２を参照すると、メッシュ能力値フィールド（２８０）は、他のＭＰとピアリンクを設定することができ且つ設定する意思があるかを指示するためのピアリンク受容サブフィールド（Ａｃｃｅｐｔｉｎｇ  Ｐｅｅｒ  Ｌｉｎｋ、２８１）、電源節約モードをサポートするかどうか且つ電源節約モードでピアリンクを維持することができるかどうかを指示するための電源節約サポート可能サブフィールド（Ｐｏｗｅｒ  Ｓａｖｅ  ｓｕｐｐｏｒｔ  ｅｎａｂｌｅｄ、２８２）、ピアＭＰとの同期化をサポートするかどうかを指示するための同期化可能サブフィールド（Ｓｙｎｃｈｒｏｎｉｚａｔｉｏｎ  Ｅｎａｂｌｅｄ、２８３）、現在同期化されているＭＰであるかどうかを指示するための同期化活性化サブフィールド（Ｓｙｎｃｈｒｏｎｉｚａｔｉｏｎ  Ａｃｔｉｖｅ、２８４）、ピアＭＰに同期化のために通信するように試みることを要求するかどうかを指示するための同期化サポート要求サブフィールド（Ｓｙｎｃｈｒｏｎｉｚａｔｉｏｎ  Ｓｕｐｐｏｒｔ  Ｒｅｑｕｉｒｅｄ  ｆｒｏｍ  Ｐｅｅｒ、２８５）、メッシュ決定接続（Ｍｅｓｈ  Ｄｅｔｅｒｍｉｎｉｓｔｉｃ  Ａｃｃｅｓｓ、ＭＤＡ）サービスをサポートするかどうかを指示するためのＭＤＡ可能サブフィールド（ＭＤＡ  Ｅｎａｂｌｅｄ、２８６）、及びフォーワーディングサブフィールド（Ｆｏｒｗａｒｄｉｎｇ、２８７）を含む。
【００２９】
隣のＭＰをディスカバするためのメッシュディスカバリ手順の他の一つは、隣のＭＰから周期的に送信されるビーコンフレームを用いることである。メッシュネットワークにおいてＭＰから送信されるビーコンフレームにはメッシュ識別子情報及びメッシュコンフィギュレーション情報などが含まれるため、ビーコンフレームを受信するＭＰは、送信ＭＰのメッシュプロファイルを知ることができる。ビーコンフレームに含まれるメッシュコンフィギュレーション情報もプローブ要求フレームまたはプローブ応答フレームに含まれる情報とほぼ同一であるため、ここではこれに対する詳細な説明は省略する。
【００３０】
前述したメッシュディスカバリ手順のうち一つを用いて隣のＭＰをディスカバする場合、ＭＰは、ディスカバされた隣のＭＰとメッシュリンク設定手順を試みるようになる。メッシュリンク設定手順は、ＭＰ間で論理的なリンクを設定することであり、ＭＰ間にピアリンクを設定する手順であるため、ピアリング（Ｐｅｅｒｉｎｇ）手順ともいう。メッシュネットワークにおいて、ＭＰは、ピアリング手順によってメッシュピアリンクが設定された後にデータフレームまたは管理フレーム（メッシュディスカバリ手順またはピアリンク管理手順のための管理フレームは除外）を送受信することができる。ＭＰ間メッシュピアリンクを設定するためにピアリンクオープンフレーム及びピアリンク確認フレームを送受信する。
【００３１】
図３は、本発明の実施例に係るメッシュピアリンク設定手順を示すメッセージ流れ図である。
【００３２】
図３を参照すると、第１のＭＰ（１０）は、第２のＭＰ（２０）に第１のピアリンクオープン（Ｆｉｒｓｔ  Ｐｅｅｒ  Ｌｉｎｋ  Ｏｐｅｎ）フレームを送信して、これに対する応答として第１のピアリンク確認（Ｆｉｒｓｔ  Ｐｅｅｒ  Ｌｉｎｋ  Ｃｏｎｆｉｒｍ）フレームを第２のＭＰ（２０）から受信する。また、第２のＭＰ（２０）も第１のＭＰ（１０）に第２のピアリンクオープン（Ｓｅｃｏｎｄ  Ｐｅｅｒ  Ｌｉｎｋ  Ｏｐｅｎ）フレームを送信して、これに対する応答として第２のピアリンク確認（Ｓｅｃｏｎｄ  Ｐｅｅｒ  Ｌｉｎｋ  ｃｏｎｆｉｒｍ）フレームを第１のＭＰ（１０）から受信する。
【００３３】
第１のピアリンクオープン／確認フレーム及び第２のピアリンクオープン／確認フレームを送受信する順序は、何らの制限がない。例えば、第１のＭＰ（１０）は第２のＭＰ（２０）から第２のピアリンクオープンフレームを受信する以前、またはこれを受信した以後に第１のピアリンクオープンフレームを送信することができて、また、受信された第２のピアリンクオープンフレームに対する応答である第２のピアリンク応答フレームを第２のＭＰ（２０）に送信する以前、またはその以後に第２のピアリンクオープンフレームを送信することもできる。
【００３４】
本発明の実施例によると、第１のＭＰ（１０）と第２のＭＰ（２０）との間に送受信する第１及び第２のピアリンクオープンフレームと第１及び第２のピアリンク確認フレームには高速処理率サービスと関連付けられている無線機器の能力値情報、即ち、ＨＴ能力値情報が含まれる。即ち、前記ピアリンクオープン／確認フレームにはＨＴサービスと関連付けられているＨＴ能力値のうち、ＭＰがサポートする一つまたはその以上の能力値に対する情報が含まれる。
【００３５】
図４及び図５は、本発明の一実施例に係るメッシュピアリンク設定手順に使われるピアリンクオープンフレーム（ｏｐｅｎ  ｆｒａｍｅ）のボディ部（ｂｏｄｙ  ｐｏｒｔｉｏｎ）に含まれる情報エレメント（ｉｎｆｏｒｍａｔｉｏｎ  ｅｌｅｍｅｎｔ）の一例を示すブロック図である。前述したように、ピアリンクオープンフレームは、メッシュリンク設定手順を開始するために使われる。
【００３６】
図４及び図５を参照すると、ピアリンクオープンフレームのボディ部にはカテゴリ（Ｃａｔｅｇｏｒｙ）情報、アクション値情報（Ａｃｔｉｏｎ  Ｖａｌｕｅ）、能力値情報（Ｃａｐａｂｉｌｉｔｙ）、サポートレート情報（Ｓｕｐｐｏｒｔｅｄ  Ｒａｔｅ）が含まれる。また、所定の条件を満たす場合には、拡張サポートレート情報（Ｅｘｔｅｎｄｅｄ  Ｓｕｐｐｏｒｔ  Ｒａｔｅ）、電源能力値情報（Ｐｏｗｅｒ  Ｃａｐａｂｉｌｉｔｙ）、サポートチャネル情報（Ｓｕｐｐｏｒｔｅｄ  Ｃｈａｎｎｅｌ）、ＲＳＮ（Ｒｏｂｕｓｔ  Ｓｅｃｕｒｉｔｙ  Ｎｅｔｗｏｒｋ）情報、サービス品質能力値情報（ＱｏＳ  Ｃａｐａｂｉｌｉｔｙ）、メッシュ識別子情報（Ｍｅｓｈ  ＩＤ）、メッシュコンフィギュレーション情報（Ｍｅｓｈ  Ｃｏｎｆｉｇｒａｔｉｏｎ）、ピアリンク管理情報（Ｐｅｅｒ  Ｌｉｎｋ  Ｍａｎａｇｅｍｅｎｔ）、ＭＳＣＩＥ（Ｍｅｓｈ  Ｓｅｃｕｒｉｔｙ  Ｃａｐａｂｉｌｉｔｙ  Ｉｎｆｏｒｍａｔｉｏｎ  Ｅｌｅｍｅｎｔ）情報、ＭＳＡＩＥ（Ｍｅｓｈ  Ｓｅｃｕｒｉｔｙ  Ａｓｓｏｃｉａｔｉｏｎ  ｈａｎｄｓｈａｋｅ  Ｉｎｆｏｒｍａｔｉｏｎ  Ｅｌｅｍｅｎｔ）情報、及びＭＩＣ（Ｍｅｓｓａｇｅ  Ｉｎｔｅｇｒａｔｉｏｎ  Ｃｏｄｅ）情報をさらに含むことができる。
【００３７】
また、ピアリンクオープンフレームを送信するＭＰが高速処理率ＰＨＹ及びＭＡＣをサポートするＭＰ、即ち、ＨＴ  ＭＰである場合には、ピアリンクオープンフレームのボディ部には高速処理率能力値（ＨＴ  Ｃａｐａｂｉｌｉｔｉｅｓ）情報エレメントが含まれて、また拡張能力値情報（Ｅｘｔｅｎｄｅｄ  Ｃａｐａｂｉｌｉｔｉｅｓ）エレメント及び２０／４０基本サービスセット共存情報（２０／４０  ＢＳＳ  Ｃｏｅｘｉｓｔｅｎｃｅ）エレメントがさらに含まれることができる。ピアリンクオープンフレームのボディ部は、ＨＴ情報エレメント及びＨＴ動作情報エレメントをさらに含むことができ、ＨＴ情報エレメント及び動作エレメントは、ＢＳＳでＨＴ  ＭＰの動作を制御するための情報を含む。
【００３８】
ＨＴ能力値情報エレメントは、ＨＴ  ＭＰがＨＴ  ＭＡＣ及びＰＨＹをサポートするという事実を相手方ＭＰに知らせるためのものである。本発明の一側面によると、前記ＨＴ能力値情報エレメントは、メッシュネットワークにおいてＨＴサービスを用いるためにピアリンクオープンフレームに必ず含めるべき情報エレメントである。即ち、ＨＴ  ＭＰは、ＨＴ  ＭＡＣ／ＰＨＹ機能をサポートするという事実を示すＨＴ能力値情報エレメントをピアリンクオープンフレームに含ませて相手方ＭＰに送信する。
【００３９】
また、拡張能力値情報エレメント及び２０／４０ＢＳＳ共存情報エレメントは、ＨＴ  ＭＰが該当メッシュネットワークにおいて２０ＭＨｚチャネルを用いた通信及び４０ＭＨｚチャネルを用いた通信を両方ともサポートするという事実を知らせるためのものである。本発明の一側面によると、拡張能力値情報エレメントは、ＨＴ  ＭＰが２０ＭＨｚチャネル及び４０ＭＨｚチャネルを介する通信を両方ともサポートするためのＢＳＳ共存管理サポート属性を有する場合にのみピアリンクオープンフレームに含まれることができる任意的な情報であり、この場合には前記ピアリンクオープンフレームに２０／４０ＢＳＳ共存情報も含まれることができる。
【００４０】
図６及び図７は、本発明の一実施例に係るメッシュピアリンク設定手順に使われるピアリンク確認フレームのボディ部に含まれる情報エレメントの一例を示すブロック図である。ピアリンク確認フレームは、受信されたピアリンクオープンフレームに対する応答として送信されるフレームであり、受信されたピアリンクオープン要求に対して確認をするために使われる。
【００４１】
図６及び図７を参照すると、ピアリンク確認フレームのボディ部には、カテゴリ（Ｃａｔｅｇｏｒｙ）情報エレメント、アクション値情報（Ａｃｔｉｏｎ  Ｖａｌｕｅ）エレメント、能力値情報（Ｃａｐａｂｉｌｉｔｙ）エレメント、状態コード情報（Ｓｔａｔｕｓ  Ｃｏｄｅ）エレメント、ＡＩＤ（Ａｓｓｏｃｉａｔｉｏｎ  Ｉｄｅｎｔｉｆｉｅｒ）情報エレメント、サポートレート情報（Ｓｕｐｐｏｒｔｅｄ  Ｒａｔｅ）エレメントが含まれる。また、所定の条件を満たす場合には、拡張サポートレート情報（Ｅｘｔｅｎｄｅｄ  Ｓｕｐｐｏｒｔ  Ｒａｔｅ）エレメント、ＲＳＮ（Ｒｏｂｕｓｔ  Ｓｅｃｕｒｉｔｙ  Ｎｅｔｗｏｒｋ）情報エレメント、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット情報エレメント、メッシュ識別子情報（Ｍｅｓｈ  ＩＤ）エレメント、メッシュコンフィギュレーション情報（Ｍｅｓｈ  Ｃｏｎｆｉｇｕｒａｔｉｏｎ）エレメント、ピアリンク管理情報（Ｐｅｅｒ  Ｌｉｎｋ  Ｍａｎａｇｅｍｅｎｔ）エレメント、ＭＳＣＩＥ（Ｍｅｓｈ  Ｓｅｃｕｒｉｔｙ  Ｃａｐａｂｉｌｉｔｙ  Ｉｎｆｏｒｍａｔｉｏｎ  Ｅｌｅｍｅｎｔ）情報エレメント、ＭＳＡＩＥ（Ｍｅｓｈ  Ｓｅｃｕｒｉｔｙ  Ａｓｓｏｃｉａｔｉｏｎ  ｈａｎｄｓｈａｋｅ  Ｉｎｆｏｒｍａｔｉｏｎ  Ｅｌｅｍｅｎｔ）情報エレメント、及びＭＩＣ（Ｍｅｓｓａｇｅ  Ｉｎｔｅｇｒａｔｉｏｎ  Ｃｏｄｅ）情報エレメントをさらに含むことができる。
【００４２】
また、ピアリンク確認フレームを送信するＭＰが高速処理率ＰＨＹ及びＭＡＣをサポートするＭＰ、即ち、ＨＴ  ＭＰである場合には、ピアリンク確認フレームのボディ部には高速処理率能力値（ＨＴ  Ｃａｐａｂｉｌｉｔｉｅｓ）情報エレメント及び高速処理率情報（ＨＴ  Ｉｎｆｏｒｍａｔｉｏｎ）エレメントが含まれて、また拡張能力値情報（Ｅｘｔｅｎｄｅｄ  Ｃａｐａｂｉｌｉｔｉｅｓ）エレメント、２０／４０基本サービスセット共存情報（２０／４０  ＢＳＳ  Ｃｏｅｘｉｓｔｅｎｃｅ）エレメント、及びオーバーラッピングＢＳＳスキャンパラメータ情報（Ｏｖｅｒｌａｐｐｉｎｇ  ＢＳＳ  Ｓｃａｎ  Ｐａｒａｍｅｔｅｒｓ）エレメントがさらに含まれることができる。
【００４３】
ＨＴ能力値情報エレメント及びＨＴ情報エレメントは、ＨＴ  ＭＰがＨＴ  ＭＡＣ及びＰＨＹをサポートするという事実を相手方ＭＰに知らせ、また、高速処理率と関連付けられている情報を相手方に知らせるためのものである。本発明の一側面によると、前記ＨＴ能力値情報エレメント及びＨＴ情報エレメントは、メッシュネットワークにおいてＨＴサービスを用いるためにピアリンク確認フレームに必ず含ませるべき情報である。即ち、ＨＴ  ＭＰは、ＨＴ  ＭＡＣ／ＰＨＹ機能をサポートするという事実を示すＨＴ能力値情報エレメント及びそれと関連付けられている情報が含まれたＨＴ情報エレメントをピアリンク確認フレームに含ませて相手方ＭＰに送信する。
【００４４】
また、拡張能力値情報エレメント及び２０／４０ＢＳＳ共存情報は、ＨＴ  ＭＰが該当メッシュネットワークにおいて２０ＭＨｚチャネルを用いた通信及び４０ＭＨｚチャネルを用いた通信を両方ともサポートするという事実を知らせるためのものである。また、オーバーラッピングＢＳＳスキャンパラメータ情報エレメントは、ＨＴ  ＭＰが４０ＭＨｚオプション実行属性を有する場合にのみ含まれる。このような本発明の一側面によると、拡張能力値情報エレメントは、ＨＴ  ＭＰが２０ＭＨｚチャネルを介する通信及び４０ＭＨｚチャネルを介する通信を両方ともサポートするためのＢＳＳ共存管理サポート属性を有する場合にのみピアリンク確認フレームに含まれることができる任意情報であり、この場合には前記ピアリンク確認フレームに２０／４０ＢＳＳ共存情報及びオーバーラッピングＢＳＳスキャンパラメータ情報エレメントもさらに含まれることができる。
【００４５】
ＨＴサービスの場合には２０ＭＨｚチャネル及び４０ＭＨｚチャネルを選択して使用することができる。もし、４０ＭＨｚチャネルを選択して使用する場合、２０ＭＨｚチャネルのみをサポートするレガシＭＰまたは２０ＭＨｚチャネルを選択して使用するＨＴ  ＭＰとは通信を円滑に実行することができないという問題が発生することができる。従って、本発明の実施例ではピアリンクオープンフレームに拡張能力値情報エレメント及び２０／４０ＢＳＳ共存情報エレメントを含ませて、また、これに対する応答として送信されるピアリンク確認フレームに拡張能力値情報エレメント、２０／４０基本サービスセット共存情報エレメント、及びオーバーラッピングＢＳＳスキャンパラメータ情報エレメントを含むようにして、メッシュネットワークでは２０ＭＨｚチャネル及び４０ＭＨｚチャネルを選択して使用するＨＴサービスが利用可能にする。
【００４６】
このように、本発明の実施例において、ピアリンクオープンフレームのボディ部にＨＴ能力値情報エレメント、ＨＴ動作情報エレメント及び／またはオプションとして拡張能力値情報及び２０／４０ＢＳＳ共存情報エレメントを含むようにして、ピアリンク確認フレームのボディ部に、ＨＴ能力値情報エレメント、ＨＴ動作情報エレメント及び／または拡張能力値情報エレメント、２０／４０ＢＳＳ共存情報エレメント、及びオーバーラッピングＢＳＳスキャンパラメータ情報エレメントを含むようにする。
【００４７】
このように、本発明の実施例でＨＴ  ＭＰは、メッシュピアリンクを介してＨＴサービスを用いることができる。従来のメッシュリンク設定手順によると、メッシュリンクを設定する当事者が全部ＨＴ  ＭＰであるとしても、相手方がＨＴサービスをサポートするＭＰであるかどうかを示す情報を獲得することができないため、ＨＴサービスを用いることができなかった。然しながら、本発明の実施例によると、メッシュリンク設定手順でＭＰのＨＴ関連情報を送受信するようにすることによって、メッシュピアリンクを設定したＭＰ間でもＨＴサービスを用いることができる。
【００４８】
以上、本発明の望ましい実施例に対して詳細に記述したが、本発明が属する技術分野において通常の知識を有する者であれば、特許請求範囲に含まれている本発明の精神及び範囲を外れない限り、本発明を多様に変形または変更して実施できることが分かることである。
【００４９】
本発明は、無線通信技術と関連付けられているネットワーキング、通信プロトコル、及び無線通信システムにおける通信過程に関し、無線通信システムの構築、及び無線通信システムを構成する機器やステーション（無線ステーション及び基地局を含む）の製造に適用されることができる。特に、本発明は、無線メッシュ通信システムにおける運営手順に適用されることができる。
【図１】
2011501607.tif 000003
【図２】
2011501607.tif 000004
【図３】
2011501607.tif 000005
【図４】
2011501607.tif 000006
【図５】
2011501607.tif 000007
【図６】
2011501607.tif 000008
【図７】
2011501607.tif 000009
【国際調査報告】
2011501607.tif 000010
2011501607.tif 000011